(57)【要約】【課題】  不具合が発生した場合、その不具合の解析に必要となる不具合関連情報を効率よく収集することにより、不具合の原因究明を容易にすること。【解決手段】  利用者が不具合を認知した際に、操作スイッチ群７やリモコン１４や音声入力マイク８等が操作することにより、不具合に関連する情報を収集するためのインタビューを開始する。利用者からのインタビュー内容への回答結果を外部メモリ１１へ格納し、所定のタイミングで外部メモリ１１に格納される現在位置情報、ＧＰＳ受信データ、ジャイロ等のセンサ信号等の時系列データと照らし合わせることにより、不具合解析時に、原因の解析を容易とする。【選択図】        図１
2005147695.tif 000002
【特許請求の範囲】
【請求項１】
不具合現象と該不具合現象に関する情報を取得するための質問事項とを関連付けて記憶する不具合記憶手段と、
前記不具合記憶手段に記憶される不具合現象の内、利用者により検知された不具合現象が選択される選択手段と、
前記選択手段により選択された不具合現象に関連付けられた前記質問項目を報知する報知手段と、
前記報知手段により報知された質問事項への回答結果を取得する回答取得手段と、
前記回答取得手段により取得した回答結果を記憶する回答記憶手段と
を備えることを特徴とする不具合情報取得装置。
【請求項２】
車両情報を取得可能な車両情報取得手段と、
前記車両情報取得手段により取得した車両情報を時系列で記憶する車両情報記憶手段と
を備えることを特徴とする請求項１に記載の不具合情報取得装置。
【請求項３】
前記回答記憶手段と前記車両情報記憶手段とに記憶される情報を送信可能とする通信手段を具備することを特徴とする請求項２に記載の不具合情報取得装置。
【請求項４】
予め記憶されている不具合現象の内、利用者により指定された不具合現象を特定する特定手順と、
前記特定手順により特定された不具合現象に関連付けられて記憶されている質問項目を報知する報知手順と、
前記報知手順により報知された質問事項への回答結果を取得する回答取得手順と、
前記回答取得手順により取得した回答結果を記憶する回答記憶手順と
を含むことを特徴とする不具合情報取得プログラム。
【請求項５】
車両情報を取得する車両情報取得手順と、
前記車両情報取得手順により取得した車両情報を時系列で記憶する車両情報記憶手順と
を含むことを特徴とする請求項１に記載の不具合情報取得プログラム。
【請求項６】
前記回答記憶手順と前記車両情報記憶手順とで記憶された情報を送信する通信手順を含むことを特徴とする請求項５に記載の不具合情報取得プログラム。
【請求項７】
請求項４乃至６に記載の不具合情報取得プログラムを記録したコンピュータ読み取り可能な記録媒体。
【発明の詳細な説明】
【技術分野】
【０００１】
本発明は、車載用制御装置の不具合を診断する技術に関するものである。
【背景技術】
【０００２】
従来、車両に搭載されたナビゲーション装置に不具合が発生した場合、利用者はサービス店等で不具合を指摘することにより、不具合の補正や修理を行う。しかし、サービス店では利用者からの情報や試験運転による情報から不具合の発生状況や不具合の症状等を特定できず、不具合の解析が進まない場合がある。  そこで、車両に搭載されたナビゲーション装置を用いて車両情報を収集することにより、故障や不具合発生時に蓄積したデータを情報センタに転送することにより車両の遠隔診断を行う技術がある。（例えば、特許文献１参照。）。
【特許文献１】特開２００２−２８６４５５号公報（[００４８]〜[００５９]、図３）。
【発明の開示】
【発明が解決しようとする課題】
【０００３】
しかし、上記のような車両の遠隔診断技術では、単に利用者からの遠隔診断請求に応じてナビゲーション装置内に蓄積したデータを情報センタ等に転送するため、利用者が不具合として認識した現象の内容を必ずしもセンタ側で正確に認識することができず、不具合の内容を特定することが困難である。また、蓄積された膨大な車両情報の中から複雑に干渉し合うような不具合に関連するデータを抽出することは困難であり、不具合の解析が進まないという問題がある。
【０００４】
本発明は上記問題点に鑑みたもので、不具合が発生した場合、その不具合の解析に必要となる不具合関連情報を効率よく収集することを目的とする。
【課題を解決するための手段】
【０００５】
上記目的を達成するために、請求項１に記載の発明では、不具合記憶手段に不具合現象とその不具合現象に関する情報を取得するための質問事項とを関連付けて記憶し、不具合記憶手段に記憶される不具合現象の内、利用者により検知された不具合現象が選択手段により選択され、選択された不具合現象に関連付けられた質問事項を報知手段により報知する。そして、報知手段により報知された質問事項への回答結果を回答取得手段により取得し、取得した回答結果を回答記憶手段に記憶することを特徴とする。
【０００６】
従って、質問事項の回答結果より、選択された（利用者により感知された）不具合現象に関連する情報を取得することが可能となる。また、取得可能な情報は不具合現象に関連付けられた質問事項の回答結果であるため、不具合現象に応じ、必要な情報を効率よく取得することが可能となる。
【０００７】
また、請求項２に記載の発明によれば、車両情報取得手段により車両情報を取得し、車両情報記憶手段に取得した車両情報を時系列で記憶することを特徴とする。これにより、時系列で記憶された車両情報と不具合現象に関連する情報を照らし合わせることにより、不具合の原因を効率よく解析することが可能となる。
【０００８】
そして、請求項３に記載の発明にでは、通信手段により回答記憶手段と車両情報記憶手段に記憶される情報を送信可能とするため、不具合現象における早急な対応を要求することが可能となる。
【０００９】
更に、請求項４に記載の発明によれば、不具合情報取得プログラムを実行すると、特定手順により予め記憶されている不具合現象の内、利用者により指定された不具合現象を特定し、報知手順にて特定された不具合現象に関連付けられた質問事項を報知し、回答取得手順にてその質問事項に対する回答結果を取得し、取得した回答結果は回答記憶手順で記憶されることを特徴とする。
【００１０】
従って、このような不具合情報取得プログラムを実行することにより、質問事項の回答結果を参照し、選択された（利用者により入力された）不具合現象に関連する情報を取得することが可能となる。また、取得可能な情報は不具合現象に関連付けられた質問事項の回答結果であるため、不具合現象に応じ、必要な情報を効率よく取得することが可能となる。
【００１１】
また、請求項５に記載の発明によれば、不具合情報取得プログラムを実行することにより、車両情報取得手順で取得した車両情報を車両情報記憶手順にて時系列に記憶することを特徴とする。即ち、不具合情報取得プログラムを実行すると、時系列で記憶された車両情報と不具合現象に関連する情報を照らし合わせることにより、不具合の原因を効率よく解析することが可能となる。
【００１２】
そして、請求項６に記載の発明では、通信手順を含む不具合情報取得プログラムを実行することにより、回答記憶手順と車両情報記憶手順とで記憶された情報を送信することを特徴とする。従って、不具合現象における早急な対応を要求することが可能となる。
【発明を実施するための最良の形態】
【００１３】
（第一実施形態）
以下、本発明を車載用のナビゲーション装置に適用した一実施形態について、図１乃至図６を参照しながら説明する。
【００１４】
図１は本実施形態に係るナビゲーション装置の構成を示す構成図である。ナビゲーション装置は、位置検出器１、地図データ入力器６、操作スイッチ群７、音声入力マイク８、音声出力器９、制御回路１０、外部メモリ１１、表示装置１２、リモコンセンサ１３、リモートコントロール端末（以下リモコンと略す）１４、通信装置１５より構成されている。位置検出器１は何れも周知の地磁気センサ２、ジャイロスコープ３、距離センサ４、及び衛星からの電波に基づいて車両の位置を検出するＧＰＳ（Ｇｌｏｂａｌ  Ｐｏｓｉｔｉｏｎｉｎｇ  Ｓｙｓｔｅｍ）のためのＧＰＳ受信機５を有している。これらのセンサ等２、３、４、５は各々が性質の異なる誤差を持っているため、複数のセンサにより各々補間しながら使用するように構成されている。尚、精度によっては上述した内の一部で構成してもよく、さらにステアリングの回転センサ、各転動輪の車輪センサ等を用いてもよい。位置検出器１によって、表示装置１２に現在位置を示す車両現在位置マークを付加して表示することが可能となる。
【００１５】
地図データ入力器６は、位置検出の精度向上のためのマップマッチング用データ、地図データ及び目印データを含む各種地図を表示するためのデータを制御回路１０に入力する装置である。そして、制御回路１０はコンピュータ手段を有して構成されるものであり、内部には周知のＣＰＵ、ＲＯＭ、ＲＡＭ、Ｉ／Ｏ及びこれらの構成を接続するバスラインが備えられている。制御回路１０で処理された情報は、音声出力器９や表示装置１２によって利用者に報知する。尚、本発明に係る不具合情報取得処理を行うためのプログラム、不具合現象の項目、その不具合現象に関連付けられた質問事項は制御回路１０内のＲＯＭに格納されるものとし、ＲＯＭは本発明における不具合記憶手段に相当する機能も有する。
【００１６】
音声入力マイク８は、音声認識や携帯電話のハンズフリー通話に使用されるマイクであり、従来のものと同様に構成される。そして、音声出力器９は音声認識結果のトークバック、ハンズフリー通話の受話音声、経路音声案内の出力等に利用されるスピーカによって構成されるものである。
【００１７】
外部メモリ１１は、ＨＤＤ（ハードディスクドライブ）やフラッシュＲＯＭ等の書き込み可能な記憶装置により構成され、制御回路１０内のＲＡＭ等では記憶できない大量のデータや電源をＯＦＦしても消去してはいけないデータを記憶したり、頻繁に使用するデータを地図データ入力器６からコピーして利用する等の用途がある。尚、本実施形態では、車両情報や利用者からの質問事項（以下インタビューと呼ぶ）の回答結果等も外部メモリ１１に記憶する。即ち、本発明における、回答記憶手段及び車両情報記憶手段に相当する。
【００１８】
表示装置１２は液晶表示装置やＣＲＴ表示装置等を用いることができ、本発明における報知手段に相当する機能も有する。そして、地図データ入力器６より入力された地図データと、位置検出器１からの位置情報を基に生成する車両現在位置マークと、更に地図上に表示される案内経路等の付加データとを重ねて表示することが出きる。また、本発明におけるインタビュー内容を画面に表示することにより、利用者への情報要求を可能としている。
【００１９】
通信装置１５は、携帯電話等の車外への通信を可能とする装置であり、本発明における通信手段としての機能を有する。
【００２０】
また、本ナビゲーション装置は従来のナビゲーション装置と同様に、リモコン１４を介したリモコンセンサ１３から、或いは操作スイッチ群７から経路探索の際の目的地設定や不具合情報取得処理の際のインタビューへの回答など各種情報入力をすることができる。そして、操作スイッチ群７は、例えば表示装置１２と一体になったタッチスイッチもしくはメカニカルなスイッチ等によって構成してもよい。
【００２１】
次に上記構成のナビゲーション装置を用いた不具合情報取得処理に係る制御回路１０内の動作を中心に、図２を用いて説明する。
【００２２】
まず、利用者が不具合を認知した際に、操作スイッチ群７やリモコン１４や音声入力マイク８等の操作がなされる。これにより、操作スイッチ群７等からの出力信号は制御回路１０内のユーザ操作入力処理部１０２へ入力され、ユーザ操作入力処理部１０２は、ナビゲーション装置を不具合現象に関する情報を取得するためのインタビューモードへ移行する。即ち、不具合情報取得処理を開始する。
【００２３】
具体的には、ユーザ操作入力処理部１０２がインタビュー画面・音声生成部１０１にインタビュー開始を指示し、インタビュー画面・音声生成部１０１は、インタビュー画面の表示出力を表示装置１２へ、インタビュー音声の音声出力を音声出力器９へ出力開始する。
【００２４】
しかる後、利用者から表示装置１２や音声出力器９によるインタビュー内容への回答が操作スイッチ群７やリモコン１４や音声入力マイク８等の操作により入力されると、ユーザ操作入力処理部１０２へ操作スイッチ群７等からの出力信号が入力される。これにより、表示装置１２や音声出力器９によって報知されたインタビューへの回答結果を取得することが可能となる。そして、ユーザ操作入力処理部１０２は入力されたインタビューの回答結果を外部メモリ１１へ記憶する。尚、利用者が音声入力マイク８によりインタビューに回答した場合は、音声入力マイク８からの入力信号を、ユーザ操作入力処理部１０２にてデジタルデータに変換後、外部メモリ１１に記憶するようにしてもよい。
【００２５】
また、外部メモリ１１には、車両情報処理部１０３が出力する現在位置情報、ＧＰＳ受信機５からの受信データ（以下、ＧＰＳ受信データと呼ぶ）、ジャイロスコープ３等のセンサ信号等を時系列データとして格納し、不具合解析時に、利用者からの回答結果と照らし合わせて解析可能とする。尚、車両情報処理部１０３は、本発明における車両情報取得手段に相当する機能を有する。
【００２６】
以下、本実施形態におけるナビゲーション装置で行われる不具合情報取得処理について図３を用いて説明する。図３はナビゲーション装置に備えられた制御回路１０による不具合情報取得処理を示すフローチャートであり、このフローチャートを実行するためのプログラムは制御回路１０内のＲＯＭに格納されている。尚、不具合情報取得処理は利用者が不具合を認知した際に、操作スイッチ群７やリモコン１４や音声入力マイク８等を操作することにより開始される。そして、外部メモリ１１に格納される車両情報は現在位置情報、ＧＰＳ受信データ、ジャイロスコープ３等のセンサ信号等が時系列を追って逐次格納され、不具合解析時に、利用者からの回答結果と照らし合わせて解析可能とする。また、車両情報の格納タイミングは一定時間毎や一定走行距離毎等で格納されるものとする。
【００２７】
図３において、まずＳ３０１にて利用者に感知した不具合現象を確認させ、選択させるため、不具合現象の選択肢を表示装置１２にリスト表示する。そして、Ｓ３０２にて利用者により不具合現象が選択されたか否かを判定する。ここで、不具合現象が選択されたか否かは操作スイッチ群７やリモコン１４や音声入力マイク８等からの操作入力の有無により判定される。
【００２８】
Ｓ３０２は利用者からの操作入力があるまで繰り返し行われ（Ｓ３０２：ＮＯ）、利用者が不具合現象を選択する入力操作をしたと判定すると（Ｓ３０２：ＹＥＳ）、Ｓ３０３へ移行する。Ｓ３０３では、利用者が選択した不具合現象に基づき、その不具合現象に関連付けられた質問事項（インタビューすべき項目）を取得する。尚、インタビューすべき項目は地点情報や日時情報等を利用者から取得するものであり、予めナビゲーション装置に備えられた制御回路１０内のＲＯＭ又は外部メモリ１１に、不具合現象と関連付けて格納されている。
【００２９】
Ｓ３０４ではＳ３０３で取得したインタビュー項目に基づき、インタビューの回答形式が日時情報であるか否かを判定する。インタビューの回答形式が日時情報ではないと判定した場合（Ｓ３０４：ＮＯ）、Ｓ３０６へ移行し、インタビューの回答形式が日時情報であると判定した場合は（Ｓ３０４：ＹＥＳ）、Ｓ３０５へ移行する。Ｓ３０５では、日時情報入力用の画面を表示し、利用者からの入力結果を外部メモリ１１に記憶し、Ｓ３１２へ移行する。
【００３０】
Ｓ３０６では、Ｓ３０３で取得したインタビュー項目に基づき、インタビューの回答形式が択一形式であるか否かを判定する。インタビューの回答形式が択一形式ではないと判定した場合（Ｓ３０６：ＮＯ）、Ｓ３０８へ移行し、インタビューの回答形式が択一形式であると判定した場合は（Ｓ３０６：ＹＥＳ）、Ｓ３０７へ移行する。Ｓ３０７では、表示装置１２に質問と想定回答を表示し、利用者が選択した想定回答を外部メモリ１１に記憶し、Ｓ３１２へ移行する。
【００３１】
Ｓ３０８では、Ｓ３０３で取得したインタビュー項目に基づき、インタビューの回答形式が自由入力（フリーフォーマット）であるか否かを判定する。インタビューの回答形式がフリーフォーマットではない場合（Ｓ３０８：ＮＯ）、Ｓ３１０へ移行し、インタビューの回答形式がフリーフォーマットである場合は（Ｓ３０８：ＹＥＳ）、Ｓ３０９へ移行する。Ｓ３０９では、表示装置１２に質問を表示し、利用者にテキスト入力や音声入力を促し、回答データを外部メモリ１１へ記憶し、Ｓ３１２へ移行する。尚、音声入力マイク８から利用者の回答が入力された場合には、入力された音声をデジタル音声データに変換し、外部メモリ１１へ記憶する。
【００３２】
Ｓ３１０では、Ｓ３０３で取得したインタビュー項目に基づき、インタビューの回答形式が位置情報であるか否かを判定する。インタビューの回答形式が位置情報ではない場合（Ｓ３１０：ＮＯ）、Ｓ３１２へ移行する。一方、インタビューの回答形式が不具合の発生した地点等の位置情報である場合には（Ｓ３１０：ＹＥＳ）、Ｓ３１１へ移行する。Ｓ３１１では、表示装置１２へ地図画面を表示してスクロール操作等による地点を指定可能とし、指定された地点を外部メモリ１１に記憶し、Ｓ３１２へ移行する。尚、地図を表示する代わりに目的地設定と同様なヒューマンインターフェイスを用いて地点の指定を可能としてもよい。
【００３３】
上述したようにＳ３０４〜Ｓ３１１では、Ｓ３０３で決定されたインタビュー項目に基づいた音声出力器９からの音声による報知や表示装置１２からの表示による報知を行い、その出力されたインタビュー内容に対する利用者からの回答を外部メモリ１１へ格納することとなる。
【００３４】
Ｓ３０５、又はＳ３０７、又はＳ３０９、又はＳ３１１にて利用者からの回答を外部メモリ１１へ格納すると、Ｓ３１２へ移行し、インタビューを終了するか否かを判定する。即ち、Ｓ３０２で選択された不具合現象に基づいたインタビュー項目が他にあるか否かを判定する。他に回答されるべきインタビュー項目があり、インタビューを終了しないと判定した場合（Ｓ３１２：ＮＯ）、Ｓ３０４へ移行し、上述したＳ３０４〜Ｓ３１１までの処理を繰り返す。一方、他に回答されるべきインタビュー項目がなく、インタビューを終了すると判定した場合（Ｓ３１２：ＹＥＳ）、不具合情報取得処理を終了する。
【００３５】
このようにして、本実施形態におけるナビゲーション装置では、利用者が不具合を感知した場合に、不具合現象に関連する情報を取得するためのインタビュー項目を挙げることにより、利用者から不具合現象に関する必要情報を効率的に取得し、格納することが可能となる。従って、後日整備士が不具合原因を解析する際に、外部メモリ１１等に格納されているインタビューへの回答結果の情報及び車両情報より不具合の発生状況や不具合の症状等を特定し易くすることが可能となる。
【００３６】
尚、インタビュー終了時に（Ｓ３１２：ＹＥＳ）、ナビゲーション装置に備えられた携帯電話等の通信装置１５を用いて車両情報とインタビュー結果を情報センタに送信し、リアルタイムに不具合原因解析を可能としてもよい（本発明における通信手順に相当する処理である。）。
【００３７】
以上は、概念的に不具合情報取得処理の流れを説明したが、より適切な理解のために具体例を挙げ、図４乃至図６を用いて説明する。図４乃至図６は表示装置１２に表示される現在位置が地図上にずれて表示されるという不具合現象を例に挙げた表示画面の遷移を示す図である。
【００３８】
まず、利用者が不具合を認知し、操作スイッチ群７等の操作入力が行われると、不具合情報取得処理が開始し、表示装置１２に図４に示すような画面１を表示する（図３：Ｓ３０１）。画面１には起こりうる不具合現象をリスト４０として表示し、不具合現象のリスト４０が画面に表示仕切れない場合には、スクロールバー４１を表示し、リストされた項目上下に移動することにより、全ての項目を確認可能とする。また、表示装置１２への表示だけでなく、例えば「お客様の車で発生した不具合現象を選択してください。」等の音声ガイダンスを音声出力器９から出力してもよい。
【００３９】
例えば、不具合現象のリスト４０から「現在位置がずれる」が認知した不具合現象として選択されると（図３：Ｓ３０２）、「現在位置がずれる」という不具合現象に関連付けて予め外部メモリ１１に格納されているインタビュー項目が決定する（図３：Ｓ３０３）。尚、不具合現象に関連付けられたインタビュー項目が複数ある場合には、インタビューする項目の順番も予め外部メモリ１１に格納されている。
【００４０】
最初のインタビュー項目が不具合発生地点の特定であったとすると、インタビュー項目の回答形式は位置情報であるため（Ｓ３１０：ＹＥＳ）、発生地点の確定を行うよう、図４に示す画面２を表示する。画面２には地図に、地点を指定可能とするカーソル４２、地図の縮尺を切替え可能とする「広域」スイッチ４３と「詳細」スイッチ４５、地点の特定を行う「セット」スイッチ４４を重ねて表示する。そして、例えば「現在地がずれた時のお車の位置を選択肢、セットを押して下さい。」のような音声ガイダンスを出力する。
【００４１】
利用者により操作スイッチ群７やリモコン１４等を介してカーソル４２が操作され、不具合の発生地点が指定される。そして、「セット」スイッチ４４の押下入力を検出すると、カーソル４２の位置情報を外部メモリ１１に記憶する（図３：Ｓ３１１）。
【００４２】
次のインタビュー項目が発生時の症状の特定であったとすると、インタビュー項目の回答形式は位置情報であり（図３：Ｓ３１０：ＹＥＳ）、発生時の症状の特定を行うため、図５に示す画面３を表示する。画面３は、画面２での表示と同様の表示にて、現在地がずれた際の現在位置マークの位置を特定可能とする。この際、例えば「現在地がずれた時の画面中の現在地マークの表示位置を選択し、セットを押して下さい。」のような音声ガイダンスを出力する。
【００４３】
利用者により操作スイッチ群７やリモコン１４等を介してカーソル４２が操作され、ずれた現在位置マークの表示位置が指定される。そして、「セット」スイッチ４４の押下入力を検出すると、カーソル４２の位置情報を外部メモリ１１に記憶する（図３：Ｓ３１１）。
【００４４】
次のインタビュー項目が発生場所の状況特定であったとすると、インタビュー項目の回答形式は択一形式であるため（図３：Ｓ３０６：ＹＥＳ）、利用者への質問と回答の選択を可能とする図５に示す画面４を表示する。画面４には、例えば「付近に高層建造物はありましたか？」等の質問を表示し、「はい」スイッチ４６、「いいえ」スイッチ４７、「わからない」スイッチ４８等の回答の選択肢を表示する。利用者により操作スイッチ群７やリモコン１４等を介して「はい」スイッチ４６、又は「いいえ」スイッチ４７、或いは「わからない」スイッチ４８の何れかが選択されると、「はい」スイッチ４６、又は「いいえ」スイッチ４７、或いは「わからない」スイッチ４８の押下入力が検出され、回答結果を外部メモリ１１に記憶する（図３：Ｓ３０７）。
【００４５】
次に、インタビュー項目が利用者からのその他の情報収集であったとすると、インタビュー項目の回答形式がフリーフォーマットとし（図３：Ｓ３０８：ＹＥＳ）、利用者に音声入力を促すよう、図６に示す画面５を表示する。画面５には「音声入力終了」スイッチ４９を表示し、例えば「その他お気づきの点を音声にて入力ください。」等の表示や音声出力を行う。
【００４６】
利用者がＰＴＴ（Ｐｕｓｈ  Ｔｏ  Ｔａｌｋ）ボタンを押す等して、音声入力を開始すると、音声入力マイク８から入力される音声をＲＡＭ等に一時的に格納する。そして、「音声入力終了」スイッチ４９の押下入力が検出されると、ＲＡＭに格納される音声データをデジタル音声データに変換後、外部メモリ１１へ記憶する（図３：Ｓ３０９）。
【００４７】
選択された不具合現象に関連付けられたインタビュー項目が全て処理されると（図３：Ｓ３１２：ＹＥＳ）、図６に示す画面６を表示し（Ｓ３１３）、終了処理を行う。画面６にはインタビューが終了した旨を表示し、処理を終了するための「終了」スイッチ５０と通信装置１５を介して情報センタへインタビュー情報及び車両情報を送信するための「アップロード」スイッチ５１を表示する。
【００４８】
このようにして、本実施形態において図４乃至図６を用いた具体例では、利用者が「現在位置がずれる」という不具合を感知した場合に、その不具合現象に関連する情報を取得するためのインタビュー項目を表示し、利用者から適当なタイミングで効率的に必要情報を取得し、格納することが可能となる。また、不具合の原因を解析したり、不具合の症状を特定するために必要な情報を取得できるよう、予めインタビュー項目を不具合現象に関連付けておけば、必要な情報を効率的に取得することが可能となる。従って、後日整備士が不具合原因を解析する際に、外部メモリ１１等に格納されているインタビューへの回答結果の情報及び車両情報より不具合の発生状況や不具合の症状等を特定し易くすることが可能となる。
【００４９】
尚、本実施形態でＳ３０２は本発明における特定手順に、Ｓ３０５、Ｓ３０７、Ｓ３０９、Ｓ３１１は本発明における報知手順、及び回答取得手順及び回答記憶手順に相当する処理を行う。
【図面の簡単な説明】
【００５０】
【図１】本発明の一実施形態に係るナビゲーション装置の全体構成を示す図である。
【図２】本発明の一実施形態に係る処理の流れを示す図である。
【図３】一実施形態におけるナビゲーション装置による不具合情報取得処理のフローチャートを示す図である。
【図４】一実施形態に係るナビゲーション装置による具体的な処理の際の表示画面例を示す図である。
【図５】一実施形態に係るナビゲーション装置による具体的な処理の際の表示画面例を示す図である。
【図６】一実施形態に係るナビゲーション装置による具体的な処理の際の表示画面例を示す図である。
【符号の説明】
【００５１】
１・・・位置検出器
２・・・地磁気センサ
３・・・ジャイロスコープ
４・・・距離センサ
５・・・ＧＰＳ受信機
６・・・地図データ入力器
７・・・操作スイッチ群
８・・・音声入力マイク
９・・・音声出力機
１０・・・制御回路
１１・・・外部メモリ
１２・・・表示装置
１３・・・リモコンセンサ
１４・・・リモコン
１５・・・通信装置
【図１】
2005147695.tif 000003
【図２】
2005147695.tif 000004
【図３】
2005147695.tif 000005
【図４】
2005147695.tif 000006
【図５】
2005147695.tif 000007
【図６】
2005147695.tif 000008